(57)【要約】【課題】メイン出力用の音響信号を中高音域と低音域とに分離してミキシングする際、各々の音域でのレベル調整を行うことができるミキサを提供すること。【解決手段】  入力チャンネル部９１に備えられる入力チャンネル２００は、チャンネルフェーダモジュール２０１、パンモジュール２０２、切替モジュール２０３、モノラルバスセンドレベルモジュール２０４を備える。モノラルバスセンドレベルモジュール２０４は、切替モジュール２０３にて選択された音響信号をモノラルバス部９４に供給する際の信号レベルの増幅又は減衰する信号処理を施す。モノラルバス部９４のモノラルバスでミキシングされる音響信号は、チャンネルフェーダモジュール２０１による信号レベルの調整とは独立して音響信号の信号レベルが調整される。【選択図】図４
2013197686.tif 000002
【特許請求の範囲】
【請求項１】
音響信号をそれぞれ入力する複数の入力チャンネルと、
前記入力された複数の音響信号をミキシングしてステレオ出力するためのステレオバスと、
前記入力された複数の音響信号をミキシングしてモノラル出力するためのモノラルバスと、
前記ステレオバスでミキシングされる入力チャンネルの音響信号の信号レベルをそれぞれ調整するステレオミキシングレベル調整手段と、
前記モノラルバスでミキシングされる入力チャンネルの音響信号の信号レベルを前記ステレオバスでミキシングされる音響信号の信号レベルとは独立して調整するモノラルミキシングレベル調整手段と
を備えることを特徴とするオーディオミキサ。
【請求項２】
前記モノラルミキシングレベル調整手段は、信号レベルを調整する音響信号として、前記ステレオミキシングレベル調整手段による調整を行った音響信号または前記ステレオミキシングレベル調整手段による調整を行わない音響信号の何れかを選択することを特徴とする請求項１に記載のオーディオミキサ。
【請求項３】
前記ステレオミキシングレベル調整手段と前記モノラルミキシングレベル調整手段とは、一方の信号レベルの調整に連動して他方における信号レベルが調整される連動状態か、各々が他方の調整に関わりなく独立して信号レベルを調整する非連動状態か、の何れかの動作状態とされることを特徴とする請求項１又は請求項２に記載のオーディオミキサ。
【請求項４】
前記ステレオバスでミキシングされた音響信号を出力する際の信号レベルを調整するステレオ出力レベル調整手段と、
前記モノラルバスでミキシングされた音響信号を出力する際の信号レベルを調整するモノラル出力レベル調整手段とを備え、
前記ステレオ出力レベル調整手段と前記モノラル出力レベル調整手段とは、一方の信号レベルの調整に連動して他方における信号レベルが調整される連動状態か、各々が他方の調整に関わりなく独立して信号レベルを調整する非連動状態か、の何れかの動作状態とされることを特徴とする請求項１〜３のいずれかに記載のオーディオミキサ。
【発明の詳細な説明】
【技術分野】
【０００１】
本願に開示の技術は、音響信号をミキシングするオーディオミキサにおいて、音響信号の信号レベルを調整する技術に関する。
【背景技術】
【０００２】
コンサートホール等において使用されるオーディオミキサは、メインのスピーカからステレオ出力される音響信号をミキシングするためのバスとしてステレオバスを備えている。また、ステレオバスの他にも、モノラル出力される音響信号をミキシングするためのモノラルバスや、その他の様々なミキシング用途に使用される複数のミックスバスなど音響信号をミキシングするためのバスを各種備えている。
【０００３】
また、コンサートホール等における音響信号処理として、聴衆に向けて出力する音響信号を中高音域と低音域とに分離して、各々の音域に対応したスピーカから出力することが行われている。この場合、オーディオミキサにおいては、中高音域の音響信号をミキシングする処理と低音域の音響信号をミキシングする処理とがそれぞれ行われる。
【先行技術文献】
【非特許文献】
【０００４】
【非特許文献１】「Ｍ７ＣＬ−３２／Ｍ７ＣＬ−４８／Ｍ７ＣＬ−４８ＥＳ  取扱説明書」、ヤマハ株式会社，２００５年
【発明の概要】
【発明が解決しようとする課題】
【０００５】
中高音域の音響信号と低音域の音響信号とをそれぞれミキシングする場合、中高音域の音響信号は、音像の定位感を確保する必要があるのでステレオバスでミキシングを行うことが好ましい。この場合、ステレオバスにおいてミキシングされる各入力チャンネルのミキシングバランスは、ミキシングコンソールの操作パネルに設けられた、各入力チャンネルに対応したフェーダを操作して調整する。ミキシングコンソールの操作パネルに固定的に配置される各フェーダを用いるので、ユーザは中高音域のミキシングバランスを、操作性良く効率よく調整することができる。
【０００６】
一方、低音域の音響信号は、音像の定位感が乏しく必ずしも定位感を確保する必要が無いので、複数のミックスバスのうちの１つ、またはモノラルバスを用いてミキシングすることが一般的である。
ミックスバスを利用する場合、ミキシングされる各入力チャンネルのミキシングバランスは、バスセンドレベルを設定することにより調整する。しかしながら、各入力チャンネルの音響信号をミックスバスに供給する際の信号レベルであるバスセンドレベルは、通常調整頻度の低いパラメータであるため、フェーダのような専用の操作子は設けられておらず、入力チャンネルおよび低音域用として選択されたミックスバスに応じて、操作子の設定や設定表示画面の切り替え等の煩雑な操作を行う必要があった。
【０００７】
また、モノラルバスを利用する場合、モノラルバスはステレオバスへ供給される音響信号をモノラルにミキシングするものであるため、ステレオバスにおいてミキシングされる中高音域の音響信号とは異なるバランスにて信号レベルの調整を行うことができなかった。
【０００８】
本願に開示される技術は上記の課題に鑑み提案されたものであって、メイン出力用の音響信号を中高音域と低音域とに分離してミキシングする際、各々の音域でのレベル調整を行うことができるオーディオミキサを提供することを目的とする。
【課題を解決するための手段】
【０００９】
本願に開示される技術に係るオーディオミキサは、複数の入力チャンネル、ステレオバス、モノラルバス、ステレオミキシングレベル調整手段、およびモノラルミキシングレベル調整手段を備える。複数の入力チャンネルは、音響信号をそれぞれ入力する。ステレオバスは、入力された複数の音響信号をミキシングしてステレオ出力する。モノラルバスは、入力された複数の音響信号をミキシングしてモノラル出力する。ステレオミキシングレベル調整手段は、ステレオバスでミキシングされる入力チャンネルの音響信号の信号レベルをそれぞれ調整する。モノラルミキシングレベル調整手段は、モノラルバスでミキシングされる入力チャンネルの音響信号の信号レベルをステレオバスでミキシングされる音響信号の信号レベルとは独立して調整する。
【００１０】
また、本願に開示される技術に係るオーディオミキサは、請求項１に記載のオーディオミキサにおいて、モノラルミキシングレベル調整手段は、信号レベルを調整する音響信号として、ステレオミキシングレベル調整手段による調整を行った音響信号またはステレオミキシングレベル調整手段による調整を行わない音響信号の何れかを選択する。
【００１１】
また、本願に開示される技術に係るオーディオミキサは、請求項１又は２に記載のオーディオミキサにおいて、ステレオミキシングレベル調整手段とモノラルミキシングレベル調整手段とは、一方の信号レベルの調整に連動して他方における信号レベルが調整される連動状態か、各々が他方の調整に関わりなく独立して信号レベルを調整する非連動状態か、の何れかの動作状態とされる。
【００１２】
また、本願に開示される技術に係るオーディオミキサは、請求項１〜３のいずれかに記載のオーディオミキサにおいて、ステレオ出力レベル調整手段と、モノラル出力レベル調整手段とを備える。ステレオ出力レベル調整手段は、ステレオバスでミキシングされた音響信号を出力する際の信号レベルを調整する。モノラル出力レベル調整手段は、モノラルバスでミキシングされた音響信号を出力する際の信号レベルを調整する。ステレオ出力レベル調整手段とモノラル出力レベル調整手段とは、一方における信号レベルの調整に連動して他方における信号レベルが調整される連動状態か、各々が他方の調整に関わりなく独立して信号レベルを調整する非連動状態か、の何れかの動作状態とされる。
【発明の効果】
【００１３】
本願に開示される技術に係るオーディオミキサによれば、メイン出力用の音響信号を中高音域と低音域とに分離してミキシングする際に、各々の音域でのレベル調整を独立に、かつ簡単に行うことができる。
【図面の簡単な説明】
【００１４】
【図１】実施形態に係るデジタルミキサ１を示すブロック図である。
【図２】ＤＳＰ９において実行される信号処理の構成を示す図である。
【図３】デジタルミキサ１のミキシングコンソール上の配置を示す図である。
【図４】本願発明の原理を示す図である。
【図５】本願の実施形態であるデジタルミキサ１に備えられるＤＳＰ９において実行される信号処理のうち、入力チャンネル部９１から出力される音響信号を各バス部においてミキシングする際の信号処理を示す図である。
【図６】表示器５に表示される入力チャンネル表示画面５０の表示例を示す図である。
【図７】モノラルバスでミキシングされる音響信号のバスセンドレベルの調整処理を行うフローチャートである。
【図８】本願の実施形態であるデジタルミキサ１に備えられるＤＳＰ９において実行される信号処理のうち、出力チャンネル部９５での音響信号の処理を示す図である。
【発明を実施するための形態】
【００１５】
図１は、本願の実施形態に係るデジタルミキサ１を示すブロック図である。複数の音響信号にミキシングやイコライジング等の信号処理を施し、信号処理後の音響信号を出力する装置である。デジタルミキサ１には、メインのスピーカから出力される聴衆向けの音響信号をミキシングするためのステレオバス（Ｌ、Ｒ）、モノラル出力用の音響信号を出力するためのモノラルバス、演奏者向け等の用途に使用される音響信号をミキシングするためのミックスバスを備えている。
【００１６】
図１に示すデジタルミキサ１は、ＣＰＵ２、メモリ３、外部Ｉ／Ｏ４、表示器５、操作子６、フェーダ７、波形Ｉ／Ｏ８、信号処理部（以降、ＤＳＰ）９を備え、これらがシステムバス１０によって接続される。
【００１７】
ＣＰＵ２は、デジタルミキサ１の動作を統括制御する制御装置である。メモリ３に記憶されている所要の制御プログラムを実行する。操作子６、フェーダ７、表示器５は、ミキシングコンソールに配置されている。ＣＰＵ２は、操作子６、フェーダ７、更に表示器５により調整される各種処理パラメータの入力操作を検出して、デジタルミキサ１における各種処理パラメータの設定や変更を行う。更に、ＣＰＵ２は、表示器５において、各種処理パラメータの設定や変更の状態の表示や各部の動作状況などの表示などの制御を行う。ＣＰＵ２により、各種処理パラメータを用いてデジタルミキサ１各部の動作制御が行われる。
【００１８】
メモリ３は、ＣＰＵ２が実行する制御プログラム等を記憶するプログラム記憶領域や、ＣＰＵ２で制御プログラムが実行されている制御動作中に一時的に記憶すべきデータを記憶したり、ＣＰＵ２のワークメモリとして使用したりするデータ記憶領域を有する記憶装置である。
【００１９】
外部Ｉ／Ｏ４は、種々の外部接続機器に接続されて、音響信号以外の各種のデータの入出力を行うためのインタフェースである。
【００２０】
表示器５は、ＣＰＵ２の制御に従って種々の情報を表示する表示装置である。例えば液晶パネルで構成される。
【００２１】
操作子６は、デジタルミキサ１に対する操作を受け付ける各種の操作子であり、種々のキー、ボタン、ロータリーエンコーダ、スライダ、ノブ等を備える。また、フェーダ７は、デジタルミキサ１に対する操作を受け付ける操作子であり、主に音響信号処理チャンネル（以降、チャンネル）における音響信号の信号レベルを制御するための操作を受け付けるための操作子である。また、表示器５は、液晶パネルに積層したタッチパネルを用いてもよく、この場合表示器５は、操作子６やフェーダ７と共にデジタルミキサ１に対する操作を受け付ける操作子として機能する。
【００２２】
波形Ｉ／Ｏ８は、様々な音源からの音響信号の入力、入力された音響信号のＤＳＰ９（後述）への送出、ＤＳＰ９において信号処理された音響信号の外部音響機器への出力等を行うためのインタフェースである。波形Ｉ／Ｏ８は、複数のアナログやデジタルの入力端子や複数のアナログやデジタルの出力端子などを持ち、これらを介して音響信号の入出力を行う。
【００２３】
ＤＳＰ９には、波形Ｉ／Ｏ８からデジタル変換された音響信号が入力される。ＤＳＰ９は、デジタル信号処理を行うプロセッサーを含み、入力される音響信号に対して、ミキシング、イコライジング、フィルタリング等の信号処理を施す。信号処理は、現在設定されている各種処理パラメータの値（以降、カレントデータ）に基づいて制御される。カレントデータは、操作子６、フェーダ７、表示器５の操作等により設定され、メモリ３に設けられたデータ記憶領域であるカレントメモリ（不図示）に記録される。
【００２４】
図２は、主にＣＰＵ２、波形Ｉ／Ｏ８、およびＤＳＰ９において実行される信号処理の構成を示す図である。波形Ｉ／Ｏ８は、信号入力部８０および信号出力部８２を備える。信号入力部８０は、アナログまたはデジタルの音響信号を入力するための入力ポートを複数有し、入力した音響信号をデジタル音響信号としてＤＳＰ９の入力パッチ部９０に供給する。信号出力部８２は、ＤＳＰ９において信号処理が施されたデジタル音響信号を入力するための出力ポートを複数有し、入力したデジタル音響信号をアナログまたはデジタルの音響信号として出力する。
【００２５】
図２に示すように、ＤＳＰ９での信号処理は、入力パッチ部９０、入力チャンネル部９１、ミックスバス部９２、ステレオバス部９３、モノラルバス部９４、出力チャンネル部９５、出力パッチ部９６により行われる。なお、本明細書では「チャンネル」という文言を「ｃｈ」と表記することがある。
【００２６】
入力パッチ部９０は、入力チャンネル部９１に設けられている複数の入力チャンネルのそれぞれに対して、信号入力部８０に設けられる複数の入力ポートのうちの何れかを割り当てる（パッチする）ものである。これにより、入力ポートに入力された音響信号が割り当てられた入力チャンネルに送出される。どの入力ポートがどの入力チャンネルに割り当てられるかはユーザが操作子６等を用いて任意に設定でき、この各入力チャンネルと入力ポートとの割当状態に関するデータ（入力パッチ部９０のカレントデータ）はカレントメモリに記憶される。
【００２７】
入力チャンネル部９１は、例えば１２８個の入力チャンネル（入力信号処理部）を備え、各入力チャンネルは同じ構成であるものとする。各入力チャンネルは、パッチされた入力ポートから入力される音響信号に対してイコライジング、フィルタリング等の信号処理を施す。信号処理を行った後、ミックスバス部９２に備えられる複数のバスのうち１または複数のバス、ステレオバス部９３のバス（Ｌ、Ｒ）、またはモノラルバス部９４のバスの１または複数のバスに音響信号を送出する。入力チャンネル毎に、ミックスバス部９２、ステレオバス部９３、およびモノラルバス部９４に備えられる各バスへの音響信号送出の有無の設定が可能である。
【００２８】
ミックスバス部９２は、例えば９６本のバスを備え、ステレオバス部９３は２本のバス（Ｌ、Ｒ）を少なくとも１セット備え、モノラルバス部９４は１本のバスを備えている。ミックスバス部９２、ステレオバス部９３、およびモノラルバス部９４は、それぞれの備えるバスごとに、入力チャンネル部９１の各入力チャンネルから入力される音響信号をミキシングし、ミキシングされた音響信号を出力チャンネル部９５に出力する。出力チャンネル部９５は、ミックスバス部９２のバスと同数の出力チャンネル（出力信号処理部）を備えており、各出力チャンネルはそれぞれ異なる１のバスに対応している。更に、ステレオバス部９３のバス（Ｌ、Ｒ）の各々に対応するステレオ出力チャンネル９５ａ、９５ｂ、およびモノラルバス部９４に対応するモノラル出力チャンネル９５ｃを備えている。出力チャンネル部９５に備えられる出力用の各チャンネル（複数の出力チャンネル、ステレオ出力チャンネル９５ａ、９５ｂ、およびモノラル出力チャンネル９５ｃ）は、対応するバスから入力される音響信号に対してイコライジング、フィルタリング等の信号処理を施す。出力チャンネルにて信号処理された音響信号は出力パッチ部９６に送出される。
【００２９】
出力パッチ部９６は、出力チャンネル部９５に備えられる出力用の各チャンネルのそれぞれを、信号出力部８２に設けられた複数の出力ポートのうち何れかに割り当てる（パッチする）ものである。これにより、ＤＳＰ９により信号処理され各出力チャンネルから出力された音響信号が、信号出力部８２を介して出力される。
【００３０】
図３は、デジタルミキサ１の操作卓であるミキシングコンソール１１上の配置を示す図である。図１に図示した表示器５や操作子６の配置を示す。操作子６は、入力ｃｈストリップ部１１０、および出力ｃｈストリップ部１１２の２つ領域に分かれて配置される。
【００３１】
入力ｃｈストリップ部１１０は、入力チャンネル部９１に備えられる複数の入力チャンネルが割り当てられるｃｈストリップが配置される。入力ｃｈストリップ部１１０に備えられるｃｈストリップの数が入力チャンネルの数より少ない場合には、各ｃｈストリップには選択に応じて都度異なる入力チャンネルが割り当てられる。ｃｈストリップには、割り当てられた入力チャンネルからの音響信号を調整するため、操作子６（図１）に相当するＳＥＬスイッチやＯＮスイッチ、およびフェーダ７（図１）が備えられる。ＳＥＬスイッチは、当該ｃｈストリップに割り当てられた入力チャンネルを選択し、当該入力チャンネルに関する詳細な設定を、図６において後述する表示器５で行うことを選択するスイッチである。ＯＮスイッチは、選択された入力チャンネルの音響信号のオン／オフを切り替えるスイッチである。フェーダ７は、当該入力チャンネルの音響信号の信号レベルを設定するための操作子である。
【００３２】
出力ｃｈストリップ部１１２は、出力チャンネル部９５に備えられる複数の出力チャンネル、ステレオ出力チャンネル９５ａ、９５ｂ、およびモノラル出力チャンネル９５ｃの一部または全てが割り当てられるｃｈストリップが配置される。各ｃｈストリップには、入力ｃｈストリップ部１１０と同様に操作子６およびフェーダ７が備えられる。
【００３３】
図４は本願発明の原理を示す図である。入力チャンネル部９１に備えられる入力チャンネル２００から、ステレオバス部９３に備えられるステレオバス（Ｌ、Ｒ）、およびモノラルバス部９４に備えられるモノラルバスへの、音響信号の処理を示す図である。入力チャンネル２００には、チャンネルフェーダモジュール２０１、パンモジュール２０２、切替モジュール２０３、モノラルバスセンドレベルモジュール２０４を備える。
【００３４】
チャンネルフェーダモジュール２０１は、パッチされた入力ポートから入力チャンネル２００に入力される音響信号の信号レベルを、ｃｈストリップに供えられたフェーダ７の操作に応じた増幅量または減衰量（フェーダレベル）にて増幅又は減衰する信号処理を施す。
【００３５】
パンモジュール２０２は、チャンネルフェーダモジュール２０１により信号処理が施された音響信号に対して、ステレオバス（Ｌ、Ｒ）における音像定位を調整するモジュールである。
【００３６】
切替モジュール２０３は、モノラルバス部９４のモノラルバスでミキシングする音響信号を、チャンネルフェーダモジュール２０１により信号処理が行われた信号とするか（ポストフェーダ：図４中、（ＰＯＳＴ）に接続される状態）、チャンネルフェーダモジュール２０１により信号処理が行われる前の信号とするか（プリフェーダ：図４中、（ＰＲＥ）に接続される状態）の選択を切り替えるモジュールである。
【００３７】
モノラルバスセンドレベルモジュール２０４は、切替モジュール２０３にて選択された音響信号をモノラルバス部９４に供給する際の信号レベルを増幅又は減衰する信号処理を施す。モノラルバスセンドレベルモジュール２０４による信号レベルの減衰量または増幅量を示すモノラルバスセンドレベルは後述する入力チャンネル表示画面において設定操作が行われる。
【００３８】
操作子６やフェーダ７等の操作により設定される、チャンネルフェーダモジュール２０１による音響信号のフェーダレベルのパラメータ値、パンモジュール２０２による音像定位のパラメータ値、切替モジュール２０３によるプリフェーダ／ポストフェーダの選択を示すパラメータ値、モノラルバスセンドレベルモジュール２０４によるモノラルバスセンドレベルのパラメータ値は、カレントメモリ内にカレントデータとして記憶される。
【００３９】
尚、入力チャンネル２００には、上記の他、入力ゲインの調整処理、位相変換処理、フィルタ処理などの他の音響信号の調整を行う信号処理や、チャンネルフェーダモジュール２０１やモノラルバスセンドレベルモジュール２０４での信号処理の実行の要否を選択する選択処理などを備えていてもよい。
【００４０】
図５は、本願の実施形態であるデジタルミキサ１に備えられるＤＳＰ９において実行される信号処理（図２）のうち、入力チャンネル部９１から出力される音響信号を各バス部（ミックスバス部９２、ステレオバス部９３、およびモノラルバス部９４）においてミキシングする際の信号処理を示すものである。図４の発明原理の具体例である。入力チャンネル部９１に備えられる複数の入力チャンネルのうち１チャンネル分の入力チャンネル９１０に係る信号処理を示す図である。入力チャンネル９１０は、発明原理図である入力チャンネル２００（図４）に示すステレオバス部９３およびモノラルバス部９４に対する音響信号の処理に加えて、ミックスバス部９２に対する音響信号の処理を施す。
【００４１】
入力チャンネル９１０には、ステレオバス部９３およびモノラルバス部９４に対する音響信号の信号処理として、発明原理図として示した入力チャンネル２００での信号処理に含まれる、チャンネルフェーダモジュール２０１、パンモジュール２０２、切替モジュール２０３、モノラルバスセンドレベルモジュール２０４を有する。更に、モノラルバス切替モジュール２０５を有する。また、ミックスバス部９２に対する信号処理としてミックスバスごとに、切替モジュール２０３−１ないし２０３−ｘ、およびミックスバスセンドレベルモジュール２０４−１ないし２０４−ｘを備える。ここで、チャンネルフェーダモジュール２０１、パンモジュール２０２、切替モジュール２０３、モノラルバスセンドレベルモジュール２０４に係る信号処理については、入力チャンネル２００（図４）の場合と同様であるので、ここでの説明は省略する。
【００４２】
モノラルバス切替モジュール２０５は、入力チャンネル９１０に入力される音響信号を、モノラルバス部９４に対して供給するか（オン状態：図５中、（ＯＮ）に接続されている状態）否か（オフ状態：図５中、（ＯＦＦ）に開放されている状態）の切り替えを行うモジュールである。
【００４３】
切替モジュール２０３−１ないし２０３−ｘは、切替モジュール２０３と同様に、各ミックスバスにてミキシングする音響信号を、チャンネルフェーダモジュール２０１による信号処理が行われた信号とするか（ポストフェーダ：図５中、（ＰＯＳＴ）に接続される状態）、チャンネルフェーダモジュール２０１による信号処理が行われる前の信号とするか（プリフェーダ：図５中、（ＰＲＥ）に接続される状態）の選択を切り替えるモジュールである。
【００４４】
ミックスバスセンドレベルモジュール２０４−１ないし２０４−ｘは、切替モジュール２０３−１ないし２０３−ｘにて選択された音響信号を各ミックスバスに供給する際の信号レベルを増幅又は減衰する信号処理を施す。ミックスバスセンドレベルモジュール２０４−１ないし２０４−ｘによる信号レベルの減衰量または増幅量を示すミックスバスセンドレベルはミックスバス毎に後述する入力チャンネル表示画面において設定操作が行われる。
【００４５】
図６は、表示器５に表示される入力チャンネル表示画面５０の表示例を示す図である。入力チャンネル表示画面５０とは、選択された入力チャンネルに関する各種パラメータ値をグラフィカル表示する画面である。また、表示器５のタッチパネルを用いて画面上に表示されるノブ操作子やスイッチ操作子を操作することにより、各種パラメータ値の設定を行うことができる。
【００４６】
入力チャンネル表示画面５０は、ミックスバスセンドレベル表示領域５１、パン表示領域５４、モノラルバスセンドレベル表示領域５５、フェーダ表示領域５６が表示される。
【００４７】
ミックスバスセンドレベル表示領域５１は、表示されている入力チャンネルに関して、ミックスバス部９２に備えられる各々のバスに対するミックスバスセンドレベルのパラメータ値や、プリフェーダ／ポストフェーダの選択を示すパラメータ値等を表示すると共に、表示するパラメータ値等の調整を受け付ける操作子である。各バスに対応して、ＰＲＥ／ＰＯＳＴボタン５１１、ミックスバスセンドレベルノブ５１３が設けられている。ミックスバスセンドレベル表示領域５１のミックスバスセンドレベルノブ５１３による信号レベルの調整と結果表示がミックスバスセンドレベルモジュール２０４−１ないし２０４−ｘ（図５）における信号処理に対応する。また、ＰＲＥ／ＰＯＳＴボタン５１１によるプリフェーダ／ポストフェーダの選択と結果表示が切替モジュール２０３−１ないし２０３−ｘ（図５）における信号処理に対応する。
【００４８】
なお、図示および詳細な説明は省略するが、ミックスバスセンドレベル表示領域５１においてミックスバス部９２に備えられる全てのバスを一度に表示することができない場合には、適宜調整・表示対象となる１乃至複数のバスを切り替えることができるように構成されている。
【００４９】
パン表示領域５４は、選択された入力チャンネルの音響信号をステレオバス（Ｌ、Ｒ）でミキシングする際の音響信号の音像定位のパラメータ値を表示する。また、音像定位のパラメータ値の調整を受け付ける操作子である。パン表示領域５４による調整、表示がパンモジュール２０２（図５）における信号処理に対応する。
【００５０】
モノラルバスセンドレベル表示領域５５は、選択された入力チャンネルの音響信号をモノラルバスでミキシングする際の各種パラメータ値の表示や、各種パラメータ値の調整を受け付ける操作子を表示する。モノラルバスセンドレベル表示領域５５には、ＯＮボタン５５０、ＰＲＥ／ＰＯＳＴボタン５５１、Ｌｉｎｋボタン５５２、およびモノラルバスセンドレベルノブ５５３が表示される。
【００５１】
ＯＮボタン５５０は、選択された入力チャンネルの音響信号をモノラルバスに供給するか（オン状態）否か（オフ状態）の状態（オン／オフ状態）を表示し、オン／オフ状態の選択を受け付ける操作子である。ＯＮボタン５５０による設定と表示がモノラルバス切替モジュール２０５（図５）における信号処理に対応する。
【００５２】
ＰＲＥ／ＰＯＳＴボタン５５１は、選択された入力チャンネルからモノラルバスへ供給する音響信号をポストフェーダとするかプリフェーダとするかの状態を表示し、プリフェーダ／ポストフェーダの選択を受け付ける操作子である。ＰＲＥ／ＰＯＳＴボタン５５１によるフェーダレベルの調整処理の有無は切替モジュール２０３（図５）における信号処理に対応する。
【００５３】
Ｌｉｎｋボタン５５２は、連動／非連動状態を表示し、連動／非連動状態の選択を受け付ける操作子である。ここで、連動状態とは、選択された入力チャンネルのチャンネルフェーダモジュール２０１におけるフェーダレベルと、モノラルバスセンドモジュール２０４におけるモノラルバスレベルとを連動させて調整する状態を指す。連動状態の場合、従来と同様モノラルバスへ供給される音響信号の信号レベルは、ポストフェーダであるかプリフェーダであるかに関わらず、チャンネルフェーダモジュール２０１にて調整された信号レベルに連動し、ステレオバス部９３に供給する音響信号の信号レベルとモノラルバス部９４に供給する信号レベルとは同一の信号レベルに調整される。非連動状態の場合、図４を用いて説明した本発明の概念を実現し、ステレオバス部９３に供給する音響信号の信号レベルの調整と、モノラルバス部９４に供給する音響信号の信号レベルの調整とが、個々に独立して調整される状態である。
【００５４】
モノラルバスセンドレベルノブ５５３は、表示されている入力チャンネルのモノラルバスセンドレベルをノブ操作子により表示し、調整を受け付ける操作子である。モノラルバスセンドレベルノブ５５３によるモノラルバスセンドレベルの調整と結果表示がモノラルバスセンドレベルモジュール２０４（図５）による信号処理に対応する。
【００５５】
入力チャンネル表示画面５０において、モノラルバスセンドレベル表示領域５５に表示されるＯＮボタン５５０、ＰＲＥ／ＰＯＳＴボタン５５１、Ｌｉｎｋボタン５５２、およびモノラルバスセンドレベルノブ５５３の操作により、モノラルバスでミキシングされる音響信号のオン／オフ状態の選択を示すパラメータ値、プリフェーダ／ポストフェーダの選択を示すパラメータ値、連動／非連動状態の選択を示すパラメータ値、およびモノラルバスへのバスセンドレベルのパラメータ値は、カレントメモリ内にカレントデータとして記憶される。
【００５６】
フェーダ表示領域５６は、選択された入力チャンネルに対応する入力ｃｈストリップ部１１０のｃｈストリップに備えられるＯＮスイッチに対応するＯＮスイッチ５６１、およびフェーダ７に対応するフェーダ５６０の状態を表示する。ＯＮスイッチ５６１は、選択された入力チャンネルの音響信号のオン／オフの状態の表示とオン／オフの設定が行われる。フェーダ５６０は、選択された入力チャンネルの音響信号の信号レベルをフェーダ操作子により表示し、調整を受け付ける操作子である。これらの設定・調整は、ミキシングコンソール１１に備えられる入力ｃｈストリップ部１１０のｃｈストリップにより行うことができる他、表示器５に表示されるフェーダ表示領域５６からも行うことができる。
【００５７】
図７は、入力チャンネルの音響信号ごとに、モノラルバスでミキシングするか否かを選択し、ミキシングする場合には音響信号のバスセンドレベルを調整するためのフローチャートである。音響信号の信号処理が行われる各入力チャンネルについて、以下に説明する処理を行う。
【００５８】
デジタルミキサ１の電源投入により処理が開始される（Ｓ０）。また、操作子６等の操作により開始を指示してもよい。例えば、表示器５に図６に係る入力チャンネル表示画面５０の表示の指示がされたことを契機として開始されてもよい。
【００５９】
実行が開始されると、先ず、メモリ３に設けられたカレントメモリから、選択された入力チャンネルのパラメータ値等のカレントデータの取得を行う（Ｓ２）。ステップＳ２では、カレントメモリから取得したカレントデータを参照して、入力チャンネル部９１に備えられる入力チャンネルのうち、選択された入力チャンネルについてパラメータ値の設定情報の取得を行い、取得した設定情報に基づいて入力チャンネル表示画面５０の表示を行う。
【００６０】
次に、選択された入力チャンネルからの音響信号をモノラルバスに供給するか否かの選択（オン／オフ状態の選択）を受け付ける（Ｓ４）。ステップＳ４では、図６のモノラルバスセンドレベル表示領域５５に表示されるＯＮボタン５５０により行われる。
【００６１】
音響信号の選択においてオフ状態が選択されると（Ｓ４：ＮＯ）、図５のモノラルバス切替モジュール２０５においてオフ状態が選択される。これにより、選択された入力チャンネルの音響信号はモノラルバスに供給されることはなく処理を終了する（Ｓ１８）。
【００６２】
音響信号の選択としてオン状態が選択されると（Ｓ４：ＹＥＳ）、図５のモノラルバス切替モジュール２０５においてオン状態が選択される。これにより、選択された入力チャンネルの音響信号がモノラルバスに供給される。
【００６３】
次に、オン状態が選択された音響信号について、プリフェーダ／ポストフェーダの選択が行われる（Ｓ６）。ステップＳ６では、図６のモノラルバスセンドレベル表示領域５５に表示されるＰＲＥ／ＰＯＳＴボタン５５１に対して行われ、切替モジュール２０３によりプリフェーダ／ポストフェーダの選択の処理が行われる。
【００６４】
ステップＳ６において、プリフェーダが選択された場合（Ｓ６：ＰＲＥ）、図５のチャンネルフェーダモジュール２０１でのフェーダレベルの調整処理が施される前の音響信号が選択される（Ｓ８）。
【００６５】
ステップＳ６において、ポストフェーダが選択された場合（Ｓ６：ＰＯＳＴ）、図５のチャンネルフェーダモジュール２０１によりフェーダレベルの調整処理が施された音響信号が選択される（Ｓ１０）。
【００６６】
プリフェーダ／ポストフェーダのいずれかが選択された後（Ｓ８、Ｓ１０）、モノラルバスセンドレベルをチャンネルフェーダモジュール２０１のフェーダレベルと連動させるか否かの選択を受け付ける（Ｓ１２）。ステップＳ１２では、操作子６等の操作、Ｌｉｎｋボタン５５２の操作、もしくはステップＳ２において取得されたカレントデータの設定情報により、チャンネルフェーダモジュール２０１のフェーダレベルとモノラルバスセンドレベルとを連動させるか否かの選択を受け付ける。
【００６７】
ステップＳ１２において、連動が選択された場合（Ｓ１２：ＹＥＳ）、チャンネルフェーダモジュール２０１で調整されるフェーダレベルのパラメータ値を取得する（Ｓ１４）。
【００６８】
非連動が選択された場合、あるいはステップＳ１４によりフェーダレベルのパラメータ値が取得された後（Ｓ１２：ＮＯ、Ｓ１４）、モノラルバスセンドレベルモジュール２０４に対してモノラルバスセンドレベルがセットされる（Ｓ１６）。
【００６９】
フェーダレベルとの連動が選択されている場合には、入力ｃｈストリップ部１１０に配置される選択された入力チャンネルのｃｈストリップのフェーダ７の操作等に応じたチャンネルフェーダモジュール２０１のフェーダレベルのパラメータ値がステップＳ１４において取得され、切替モジュール２０３においてプリフェーダが選択されていれば、この取得したパラメータ値をモノラルバスセンドレベルとして設定し、ポストフェーダが選択されていれば、モノラルバスセンドレベルモジュール２０４での信号レベルの調整を無効化するようモノラルバスセンドレベルモジュール２０４内の信号経路の切り替え、あるいはモノラルバスセンドレベルの設定を行う。
【００７０】
フェーダレベルとの非連動が選択されている場合には、入力チャンネル表示画面５０においてモノラルバス用に表示されるモノラルバスセンドレベルノブ５５３の操作により、フェーダレベルとは独立にモノラルバスセンドレベルが調整される。
【００７１】
図８は、本願の実施形態であるデジタルミキサ１に備えられるＤＳＰ９において実行される信号処理（図２）のうち、出力チャンネル部９５に備えられるステレオ出力チャンネル９５ａ、９５ｂ、およびモノラル出力チャンネル９５ｃでの音響信号の処理を示す図である。
【００７２】
ステレオ出力チャンネル９５ａ、９５ｂ、およびモノラル出力チャンネル９５ｃには、それぞれ出力チャンネルフェーダモジュール９５１ａ、９５１ｂ、９５１ｃが備えられる。出力チャンネルフェーダモジュール９５１ａ、９５１ｂ、９５１ｃは、ステレオバス（Ｌ、Ｒ）、およびモノラルバスでミキシングされた音響信号に対して信号レベルの増幅又は減衰のレベル値である出力フェーダレベルを調整する信号処理を施す。出力ｃｈストリップ部１１２のｃｈストリップに備えられるフェーダ７を操作することにより、出力チャンネルフェーダモジュール９５１ａ、９５１ｂ、９５１ｃにより出力される音響信号の信号レベルを調整する信号処理が行われる。
【００７３】
不図示の出力Ｌｉｎｋボタンを操作子６あるいは表示器５にて表示される表示画面において操作することにより、ステレオ出力チャンネル９５ａ、９５ｂに備えられる出力チャンネルフェーダモジュール９５１ａ、９５１ｂと、モノラル出力チャンネル９５ｃに備えられる出力チャンネルフェーダモジュール９５１ｃとで、出力フェーダレベルを連動させるか非連動とするかの選択を行うことができる。連動状態にすることで、出力ｃｈストリップ部１１２に備えられる、ステレオ出力チャンネル９５ａ、９５ｂに係るｃｈストリップの電動フェーダ７あるいはモノラル出力チャンネル９５ｃに係るｃｈストリップの電動フェーダ７のいずれか一方を操作すれば、他方の出力フェーダレベルも連動して調整される。非連動状態にすることで、出力ｃｈストリップ部１１２に備えられる、ステレオ出力チャンネル９５ａ、９５ｂに係るｃｈストリップのフェーダ７とモノラル出力チャンネル９５ｃに係るｃｈストリップのフェーダ７とは独立し、各出力フェーダレベルも独立して調整される。
【００７４】
尚、ステレオ出力チャンネル９５ａ、９５ｂ、およびモノラル出力チャンネル９５ｃには、それぞれに位相変換処理、フィルタ処理などの他の音響信号の調整を行う信号処理や、出力チャンネルフェーダモジュール９５１ａ、９５１ｂ、９５１ｃでの信号処理の実行の要否を選択する選択処理などを備えていてもよい。
【００７５】
以上、本願の実施形態に係るデジタルミキサ１は、メイン出力用の音響信号を中高音域と低音域とに分離して出力する際に、音像定位を調整する必要のある中高音域をステレオバス（Ｌ、Ｒ）でミキシングしながら、音像定位感の乏しい低音域をモノラルバスでミキシングする。中高音域の音響信号をステレオバス（Ｌ、Ｒ）でミキシングする際に、入力チャンネルからの音響信号の信号レベル調整は、各入力チャンネルに対して割り当てられたｃｈストリップのフェーダ７の操作により行う。ステレオバス（Ｌ、Ｒ）でミキシングされる全ての入力チャンネルの音響信号の信号レベルの調整は、専用領域に固定的に配置されているｃｈストリップに備えられるフェーダ７で調整をすることができる。なお、各入力チャンネルからステレオバス（Ｌ、Ｒ）に音響信号を送出する際、送出される音響信号に対してハイパスフィルタ等の信号処理を施し、中高音域の音響信号のみをステレオバス（Ｌ、Ｒ）に供給してもよい。図示は省略するが、このハイパスフィルタ等は、各入力チャンネルにおけるチャンネルフェーダモジュール２０１後段のモノラルバスへの分岐点より後の、ステレオバス（Ｌ、Ｒ）に音響信号を供給する経路上に設置すればよい。また、各入力チャンネルから音響信号をモノラルバスに送出する際、送出される音響信号にローパスフィルタ等の信号処理を施し、低音域の音響信号のみをモノラルバスに供給してもよい。図示は省略するが、このローパスフィルタ等は、各入力チャンネルにおけるモノラルバスへの分岐点より後の、モノラルバスに音響信号を供給する経路上に設置すればよい。
【００７６】
また、低音域の音響信号をモノラルバスでミキシングする際に、入力チャンネルからの音響信号の信号レベルの調整は入力チャンネル表示画面５０においてモノラルバスセンドレベルを設定することにより、入力チャンネルごとに信号レベルの調整を行うことができる。
【００７７】
低音域の信号レベルの調整を、チャンネルフェーダモジュール２０１で行われる中高音域の信号レベルの調整とは独立して、モノラルバスセンドレベルモジュール２０４により行うことができる。低音域と中高音域とで信号レベルを自在に調整することができる。
【００７８】
また、モノラルバスセンドレベル表示領域５５に表示されるＰＲＥ／ＰＯＳＴボタン５５１を操作することにより、切替モジュール２０３による信号処理として、モノラルバスセンドレベルモジュール２０４によって信号処理を施される音響信号を、チャンネルフェーダモジュール２０１による信号処理が施されない入力チャンネルからの音響信号とするか（プリフェーダ）、チャンネルフェーダモジュール２０１による信号処理が施された音響信号とするか（ポストフェーダ）、の選択することができる。
【００７９】
これにより、プリフェーダが選択される場合（Ｓ６：ＰＲＥ）、モノラルバスでミキシングされる音響信号の信号レベルは、モノラルバスセンドレベルモジュール２０４によるバスセンドレベルの調整で決定され、チャンネルフェーダモジュール２０１によるフェーダレベルの調整には影響されない。また、ポストフェーダが選択される場合（Ｓ６：ＰＯＳＴ）、モノラルバスでミキシングされる音響信号の信号レベルは、モノラルバスセンドレベルモジュール２０４によるバスセンドレベルの調整に加えてチャンネルフェーダモジュール２０１によるフェーダレベルの調整で決定される。
【００８０】
また、モノラルバスセンドレベル表示領域５５に表示されるＯＮボタン５５０を操作することにより、モノラルバス切替モジュール２０５による信号処理として、入力チャンネルからの音響信号をモノラルバスでミキシングするか否かの選択（オン／オフ状態の選択）をすることができる。これにより、モノラルバスへの音響信号の出力を制御することができる。
【００８１】
また、チャンネルフェーダモジュール２０１とモノラルバスセンドレベルモジュール２０４とで、信号レベルを連動させることができる。これにより、ステレオバス部９３に供給される信号レベルとモノラルバス部９４に供給される信号レベルとを、同時に連動した音響信号の信号レベルに調整することができる。
【００８２】
また、ステレオ出力チャンネル９５ａ、９５ｂに備えられる出力チャンネルフェーダモジュール９５１ａ、９５１ｂと、モノラル出力チャンネル９５ｃに備えられる出力チャンネルフェーダモジュール９５１ｃとで、出力フェーダレベルを連動させることができる。これにより、ステレオバス（Ｌ、Ｒ）でミキシングされた中高音域、およびモノラルバスでミキシングされた低音域の音響信号の信号レベルを、同時に連動した音響信号の信号レベルに調整することができる。なお、ステレオバス（Ｌ、Ｒ）から音響信号を出力する際に、出力される音響信号にハイパスフィルタ等の信号処理を施し、中高音域の音響信号のみを波形Ｉ／Ｏ８から出力するようにしてもよい。図示は省略するが、このハイパスフィルタ等は、ステレオバス（Ｌ、Ｒ）からステレオ出力チャンネル９５ａ、９５ｂに音響信号が入力され、波形Ｉ／Ｏ８から出力されるまでの経路上に設置すればよい。また、モノラルバスから音響信号を出力する際に、出力される音響信号にローパスフィルタ等の信号処理を施し、低音域の音響信号のみを波形Ｉ／Ｏ８から出力するようにしてもよい。図示は省略するが、このローパスフィルタ等は、モノラルバスからモノラル出力チャンネル９５ｃに音響信号が入力され、波形Ｉ／Ｏ８から出力されるまでの経路上に設置すればよい。
【００８３】
尚、本発明は上記の実施形態に限定されるものではなく、本発明の趣旨を逸脱しない範囲内での種々の改良、変更が可能であることは言うまでもない。
例えば、本願に係るモノラルバス切替モジュール２０５は、入力チャンネル９１０に入力される音響信号を、モノラルバス部９４においてミキシングするか、ミキシングしないかの間で切り替えを行うモジュールである。よって、図５に図示される順番とは異なり、モノラルバス切替モジュール２０５は、モノラルバスセンドレベルモジュール２０４の後に配置した構成とすることもできる。
【００８４】
また、入力チャンネルにおいて連動状態である場合、モノラルバスセンドレベルモジュール２０４に対してプリフェーダの信号が選択されていれば、モノラルバスセンドレベルモジュール２０４におけるレベル調整は行わず、入力された音響信号の信号レベルのままモノラルバス部９４に供給するようにしてもよい。こうすることで連動状態を選択する場合に、従来と同様の信号処理乃至操作態様をユーザに提供することができる。
【００８５】
また、上記の実施形態においては、モノラルバスセンドレベルを入力チャンネル表示画面５０に表示されるモノラルバスセンドレベルノブ５５３を用いて調整するものとして説明したが、入力ｃｈストリップ部１１０に備えられる各入力チャンネルのｃｈストリップのフェーダ７や他の操作子６にモノラルバスセンドレベルを割り当て、ｃｈストリップ上の操作子を用いて調整するようにしてもよい。この場合ｃｈストリップのフェーダ７等に対して、チャンネルフェーダモジュール２０１のフェーダレベルを割り当てるか、モノラルバスセンドレベルモジュール２０４のモノラルバスセンドレベルを割り当てるかを、ユーザ操作に応じて任意に切り替え・変更可能な切り替えスイッチ等を、操作子６または入力チャンネル表示画面５０に設ける。
【００８６】
また、実施形態では、中高音域の音響信号と低音域の音響信号とを、それぞれ、ステレオバス（Ｌ、Ｒ）とモノラルバスとで個別にミキシングして出力する場合を例示したが、本発明はこれに限定されるものではない。同一の信号源からの音響信号について、音域には関わりなくステレオ出力およびモノラル出力として、それぞれ、ステレオバス（Ｌ、Ｒ）とモノラルバスとで個別にミキシングする場合にも適用可能である。
【００８７】
モノラルバスセンドレベルモジュール２０４はモノラルミキシングレベル調整手段の一例、チャンネルフェーダモジュール２０１はステレオミキシングレベル調整手段の一例、出力チャンネルフェーダモジュール９５１ａ、９５１ｂはステレオ出力レベル調整手段の一例、出力チャンネルフェーダモジュール９５１ｃはモノラル出力レベル調整手段の一例である。
【符号の説明】
【００８８】
１          デジタルミキサ
２          ＣＰＵ
３          メモリ
４          外部Ｉ／Ｏ
５          表示器
６          操作子
７          フェーダ
８          波形Ｉ／Ｏ
９          ＤＳＰ
１０        システムバス
９３        ステレオバス部
９４        モノラルバス部
２００      入力チャンネル
２０１      チャンネルフェーダモジュール
２０２      パンモジュール
２０３      切替モジュール
２０４      モノラルバスセンドレベルモジュール
【図１】
2013197686.tif 000003
【図２】
2013197686.tif 000004
【図３】
2013197686.tif 000005
【図４】
2013197686.tif 000006
【図５】
2013197686.tif 000007
【図６】
2013197686.tif 000008
【図７】
2013197686.tif 000009
【図８】
2013197686.tif 000010